(57)【要約】  任意の携帯端末装置に記憶された音声情報などの情報について、特定の携帯端末装置間で情報交換することができる情報交換方法を提供するために、情報交換システム１００に、特定の情報を他の携帯端末装置に公開する特定携帯端末装置Ａ１１０と、特定携帯端末装置Ａ１１０が情報の公開を行なっていることを特定の携帯端末装置に通知する代表携帯端末装置１２０と、通知に応じて特定携帯端末装置Ａ１１０から情報を取得する特定携帯端末装置Ｂ１３０と、を備える。
2009013784.tif 000002
【特許請求の範囲】
【請求項１】
特定の携帯端末装置間で情報の交換を行なう情報交換システムであって、
任意の情報を記憶する情報記憶手段と、該情報記憶手段に記憶した特定の情報について、前記特定の携帯端末装置間に公開をする旨の公開通知の依頼をする公開通知依頼手段と、該特定の情報の公開要求を受けると、要求のあった携帯端末装置に対して前記特定の情報を送信する情報通知手段と、を有する第１の携帯端末装置と、
前記特定の携帯端末装置を登録する登録情報記憶手段と、前記公開通知の依頼を受けると、前記登録情報記憶手段に登録されている携帯端末装置に対して公開通知を行なう公開通知手段と、を有する第２の携帯端末装置と、
前記公開通知を受けると、前記第１の携帯端末装置に対して、前記特定の情報の公開要求をし、該第１の携帯端末装置から前記特定の情報を取得する情報取得手段を有する第３の携帯端末装置と、
を備える情報交換システム。
【請求項２】
前記情報は、音声情報であることを特徴とする請求項１に記載の情報交換システム。
【請求項３】
前記情報は、画像情報、動画情報又は音楽情報であることを特徴とする請求項１に記載の情報交換システム。
【請求項４】
前記第１の携帯端末装置は、前記特定の情報を前記情報記憶手段から削除する情報削除手段を備える、ことを特徴とする請求項１に記載の情報交換システム。
【請求項５】
前記第１の携帯端末装置は、前記第３の携帯端末装置からの公開要求に対して、該公開要求を拒否する公開拒否手段を備える、ことを特徴とする請求項１に記載の情報交換システム。
【請求項６】
特定の携帯端末装置間で情報の交換を行なう情報交換方法であって、
任意の情報を記憶する情報記憶手段を有する第１の携帯端末装置が、該情報記憶手段に記憶した特定の情報について、前記特定の携帯端末装置間に公開をする旨の公開通知の依頼をし、
前記特定の携帯端末装置を登録する登録情報記憶手段を有する第２の携帯端末装置が、前記公開通知の依頼を受けると、前記登録情報記憶手段に登録されている携帯端末装置に対して公開通知をし、
該公開通知を受けた第３の携帯端末装置が、前記第１の携帯端末装置に対して、前記特定の情報の公開要求をすると、該第１の携帯端末装置が、前記第３の携帯端末装置に対して要求された前記特定の情報を送信する、
ことを特徴とする情報交換方法。
【請求項７】
特定の携帯端末装置間で情報の交換を行なう携帯端末装置であって、
任意の情報を記憶する情報記憶手段と、
該情報記憶手段に記憶した特定の情報について、前記特定の携帯端末装置間に公開をする旨の公開通知の依頼をする公開通知依頼手段と、
前記特定の携帯端末装置を登録する登録情報記憶手段と、
前記公開通知の依頼を受けると、前記登録情報記憶手段に登録されている携帯端末装置に対して公開通知を行なう公開通知手段と、
前記公開通知を受けると、前記第１の携帯端末装置に対して、前記特定の情報の公開要求をして前記特定の情報を取得する情報取得手段と、
該特定の情報の公開要求を受けると、要求のあった携帯端末装置に対して前記特定の情報を送信する情報通知手段と、
を備える携帯端末装置。
【発明の詳細な説明】
【技術分野】
【０００１】
本発明は、特定の携帯端末装置間において任意の情報を交換する情報交換方法に関する。
【背景技術】
【０００２】
近年、携帯電話などの携帯端末装置には様々な機能が備えられている。その機能の１つに音声情報を録音し、必要に応じて再生・削除などを行なうことができる音声録音機能がある。しかし、携帯端末装置の記憶容量には制限があるため、重要なデータを録音していた時に、録音を行なうと、既に録音されていた重要なデータが消去されてしまう等の問題があった。【０００３】
この問題を解決するために、特許文献１には、携帯端末装置で通話中の会話を交換機に設けられた音声蓄積装置に録音することにより、後日録音内容を再生して相手との会話内容を確認することができる移動体通信システムについて開示されている。【０００４】
また、上記技術に関連して、特許文献２には、本体に内蔵するメモリ容量を大きくすることなく複数件の録音・再生等を可能にするために、メモリ使用率を検出し、メモリ使用率が一定以上になると録音したデジタル信号を他の録音機能付電話にメッセージ転送する携帯電話機について開示されている。【０００５】
上述のように、たくさんの音声情報が録音できるようになると、それらの音声情報について複数の利用者間で情報交換したいという要求がでてくるようになった。
【特許文献１】特開平０７−２８３８７３号公報
【特許文献２】特開平０８−２２３２７９号公報
【発明の開示】
【０００６】
本発明は、上述した問題に鑑みてなされたものであり、その解決しようとする課題は、任意の携帯端末装置に記憶された音声情報などの情報について、特定の携帯端末装置間で情報交換することができる情報交換方法を提供することである。
【０００７】
上記課題を解決するために、本発明に係る情報交換システムは、特定の携帯端末装置間で情報の交換を行なう情報交換システムであって、任意の情報を記憶する情報記憶手段と、該情報記憶手段に記憶した特定の情報について、前記特定の携帯端末装置間に公開をする旨の公開通知の依頼をする公開通知依頼手段と、該特定の情報の公開要求を受けると、要求のあった携帯端末装置に対して前記特定の情報を送信する情報通知手段と、を有する第１の携帯端末装置と、前記特定の携帯端末装置を登録する登録情報記憶手段と、前記公開通知の依頼を受けると、前記登録情報記憶手段に登録されている携帯端末装置に対して公開通知を行なう公開通知手段と、を有する第２の携帯端末装置と、前記公開通知を受けると、前記第１の携帯端末装置に対して、前記特定の情報の公開要求をし、該第１の携帯端末装置から前記特定の情報を取得する情報取得手段を有する第３の携帯端末装置と、を備える。
【０００８】
本発明によると、第１の携帯端末装置が保持する特定の情報を公開する場合、第１の携帯端末装置から第２の携帯端末装置に公開通知依頼が行なわれ、第２の携帯端末装置から各携帯端末装置に公開通知が行なわれる。公開通知を受けた第３の携帯端末装置が第１の携帯端末装置に公開要求を行なうと、第１の携帯端末装置−第３の携帯端末装置間で情報の交換が行なわれる。
【０００９】
以上のように、本発明によると、任意の携帯端末装置に記憶された音声情報などの情報について、特定の携帯端末装置間で情報交換することができる情報交換方法を提供することが可能となる。
【図面の簡単な説明】
【００１０】
【図１】本発明の実施例に係る情報交換システムの動作原理を説明する図である。
【図２】本発明の実施例に係る特定携帯端末装置の具体的な構成例を示すブロック図である。
【図３】本発明の実施例に係る代表携帯端末装置の具体的な構成例を示すブロック図である。
【図４】本発明の実施例に係る情報交換システムの具体的な処理を示すフローチャートである。
【図５】本発明の実施例に係る登録情報記憶部への登録処理を示すフローチャートである。
【図６】本発明の実施例に係る音声データの削除処理を示すフローチャートである。
【発明を実施するための最良の形態】
【００１１】
以下、本発明の実施形態について、図１〜図６に基づいて説明する。
図１は、本発明の実施例に係る情報交換システムの動作原理を説明する図である。
図１に示す情報交換システム１００は、特定の情報を他の携帯端末装置に公開する携帯端末装置（以下、「特定携帯端末装置Ａ」という）１１０と、特定携帯端末装置Ａ１１０が情報の公開を行なっていることを特定の携帯端末装置に通知する携帯端末装置（以下、「代表携帯端末装置」という）１２０と、通知に応じて特定携帯端末装置Ａ１１０から情報を取得する携帯端末装置（以下、「特定携帯端末装置Ｂ」という）１３０と、を備える。【００１２】
特定携帯端末装置Ａ１１０は、任意の情報を記憶する情報記憶手段１１１と、情報記憶手段１１１に記憶されている特定の情報（以下、「公開情報」という）を公開する旨の通知（以下、「公開通知」という）を特定の携帯端末装置に送信するように依頼する公開通知依頼手段１１２と、携帯端末装置からの公開要求に応じて公開情報を通知する情報通知手段１１３と、を備える。【００１３】
代表携帯端末装置１２０は、特定の携帯端末装置を登録する登録情報記憶手段１２１と、特定の携帯端末装置、すなわち、登録情報記憶手段１２１に登録された携帯端末装置、に対して公開通知を行なう公開通知手段１２２と、を備える。【００１４】
特定携帯端末装置Ｂ１３０は、公開通知に応じて、特定携帯端末装置Ａ１１０に公開情報の要求（「公開要求」という）をして公開情報を取得する情報取得手段１３１を備える。【００１５】
情報記憶手段１１１は、特定携帯端末装置Ａ１１０に備わる諸機能（例えば、音声録音機能、カメラ機能、メール機能、メモ機能、メモリカード等からの外部入力機能）によって取得した情報（音声情報、音楽情報、画像情報、動画情報、メール等）を記憶する。したがって、公開情報も、音声情報、音楽情報、画像情報、動画情報、メール等となる。【００１６】
公開通知依頼手段１１２は、所定の操作による利用者等からの指示に応じて、情報記憶手段１１１に記憶されている公開情報を公開する旨の公開通知を、特定の携帯端末装置に通知するように代表携帯端末装置１２０に依頼する（以下、この依頼を「公開通知依頼」という）。【００１７】
情報通知手段１１３は、公開通知を受けた携帯端末装置からの公開要求に応じて、公開情報を当該携帯端末に通知する。
登録情報記憶手段１２１は、特定の携帯端末装置を登録するものである。本実施例では、携帯端末装置（特定携帯端末装置Ａ１１０、Ｂ１３０）の電話番号を登録している。ただし、電話番号である必要はなく、携帯端末装置を識別し、携帯端末装置間で通信が可能な他の情報（例えば、メールアドレス等）であってもよい。【００１８】
公開通知手段１２２は、特定携帯端末装置Ａ１１０から公開通知依頼を受けると、登録情報記憶手段１２１を参照し、この登録情報記憶手段１２１に登録されている携帯端末装置（例えば、特定携帯端末装置Ａ１１０、Ｂ１３０）に対して公開通知を行なう。【００１９】
情報取得手段１３１は、代表携帯端末装置１２０から公開通知を受けると、特定携帯端末装置Ａ１１０に対して公開要求をおこなって公開情報を取得する。
以上に示した情報交換システムでは、システムを構成する携帯端末装置の役割の理解を簡単にするために、特定携帯端末装置Ａ１１０、Ｂ１３０、代表携帯端末装置毎に異なる手段を備えるが、特定携帯端末装置Ａ１１０、Ｂ１３０、代表携帯端末装置が同じ手段を備えてもよい。【００２０】
例えば、特定携帯端末装置Ａ１１０、Ｂ１３０、代表携帯端末装置が、それぞれ、情報記憶手段１１１、公開通知依頼手段１１２、情報通知手段１１３、登録情報記憶手段１２１、公開通知手段１２２及び情報取得手段１３１を備えてもよい。【００２１】
以上に示した情報交換システムの具体的な構成例について以下に説明する。なお、説明を簡単にするために、公開情報として音声情報（以下、「音声データ」という）を使用した場合について説明するが、公開情報を音声情報に限定する趣旨ではない。公開情報に、音楽情報、画像情報、動画情報、メール等を使用してもよい。【００２２】
図２は、本発明の実施例に係る特定携帯端末装置Ａ１１０の具体的な構成例を示すブロック図である。
図２に示す特定携帯端末装置Ａ１１０は、複数の音声データ（例えば、音声データ１、２、・・・、Ｎ）を記憶する音声データ記憶部２０１と、指示に応じて音声データの記憶・読み出し等を行なう音声データ制御部２０２と、音声データを再生する音声データ再生部２０３と、要求に応じて音声データの公開等を行なう音声情報交換処理部２０４と、他の携帯端末装置とのメッセージ通信に使用するＳＭＳ（ショート・メッセージ・サービス）メールの送受信を制御するＳＭＳメール送受信制御部２０５と、通信制御を行なう通信制御部２０６と、使用する無線規格に応じた無線通信を行なう無線制御部２０７と、特定携帯端末装置Ａ１１０の操作に使用するキー操作部２０８と、任意の表示を行なう画面表示部２０９と、を備える。【００２３】
音声データ記憶部２０１は、特定携帯端末装置Ａ１１０が備える図示しない録音機能を使用して、外部記憶装置（例えば、ミニＳＤカードやマイクロＳＤカード）を介して、又は、通信機能（例えば、メール機能や赤外線通信、ブルートゥース）を使用して得た音声データを記憶する。【００２４】
利用者が所定のキー操作を行なって公開通知依頼を指示すると、音声情報交換処理部２０４は、ＳＭＳメール送受信制御部２０５、通信制御部２０６及び無線制御部２０７を介して、代表携帯端末装置１２０とメッセージ通信を行なう。そして、音声情報交換処理部２０４は、代表携帯端末装置１２０に対して公開通知依頼を行なう。【００２５】
また、ＳＭＳメール送受信制御部２０５、通信制御部２０６及び無線制御部２０７を介して、特定携帯端末装置Ｂ１３０から音声データの公開要求を受けると、音声情報交換処理部２０４は、特定携帯端末装置Ｂ１３０と音声通話接続を行なうとともに、音声データ再生部２０３に対して公開情報の再生を指示する。【００２６】
音声データ再生部２０３は、音声データ制御部２０２を介して音声データ記憶部２０１に記憶されている公開情報を再生し、再生した音声を通信制御部２０６及び無線制御部２０７を介して特定携帯端末装置Ｂ１３０に送信する。【００２７】
特定携帯端末装置Ｂ１３０の構成は、図２に示した特定携帯端末装置Ａ１１０と同様の構成、又は、図２に示した特定携帯端末装置Ａ１１０から音声データ記憶部２０１、音声データ記憶部２０２及び音声データ再生部２０３を除いた構成でよい。【００２８】
この場合、音声情報交換処理部２０４は、利用者の指示に応じて、ＳＭＳメール送受信制御部３０５、通信制御部３０６及び無線制御部３０７を介して特定携帯端末装置Ａ１１０に公開要求を行なう。【００２９】
さらに、音声情報交換処理部２０４は、通信制御部２０６及び無線制御部２０７を介して、特定携帯端末装置Ａ１１０と音声通話接続を行なう。そして、音声情報交換処理部２０４は、特定携帯端末装置Ａ１１０から公開情報を取得する。【００３０】
図３は、本発明の実施例に係る代表携帯端末装置１２０の具体的な構成例を示すブロック図である。
図３に示す代表携帯端末装置１２０は、特定の携帯端末装置について電話番号を登録（記憶）する登録情報記憶部３０１と、指示に応じて電話番号の登録・読み出し等を行なう登録情報制御部３０２と、登録情報制御部３０２に所定の電話番号の登録を指示する登録処理部３０３と、公開通知を行なう音声情報交換処理部３０４と、他の携帯端末装置とのメッセージ通信に使用するＳＭＳメールの送受信を制御するＳＭＳメール送受信制御部３０５と、通信制御を行なう通信制御部３０６と、使用する無線規格に応じた無線通信を行なう無線制御部３０７と、代表携帯端末装置１２０の操作に使用するキー操作部３０８と、任意の表示を行なう画面表示部３０９と、を備える。【００３１】
登録情報記憶部３０１には、特定の携帯端末装置が登録される。ここで、特定の携帯端末装置とは、各携帯端末装置が所有する音声データを共有させたい複数の携帯端末装置をいう。本実施例では、登録情報記憶部３０１に、各携帯端末装置の電話番号（ＳＭＳメール送信先番号）を登録する。【００３２】
利用者が所定のキー操作を行なって登録したい携帯端末装置の電話番号を入力すると、登録処理部３０３は、登録情報制御部３０２を介して登録情報記憶部３０１に当該電話番号を記憶させる。【００３３】
音声情報交換処理部３０４は、ＳＭＳメール送受信制御部３０５、通信制御部３０６及び無線制御部３０７を介して公開通知依頼を受けると、登録情報記憶部３０１を参照する。そして、ＳＭＳメール送受信制御部３０５、通信制御部３０６及び無線制御部３０７を介して、登録されている特定携帯端末装置Ｂ１３０と一斉に（又は順番に）メッセージ通信を開始し、公開通知を行なう。【００３４】
図４は、本発明の実施例に係る情報交換システム１００の具体的な処理を示すフローチャートである。
なお、説明を簡単にするために登録情報記憶部３０１には、特定携帯端末装置Ａ１１０（この装置の電話番号を「電話番号＃Ａ」とする）と特定携帯端末装置Ｂ１３０（この装置の電話番帽を「電話番号＃Ｂ」とする）とが登録され、特定携帯端末装置Ａ１１０が音声データａを公開する場合について説明する。また、各特定携帯端末装置Ａ１１０、Ｂ１３０には、代表携帯端末装置１２０の電話番号＃Ｃがあらかじめ図示しない記憶装置に登録されているものとする。【００３５】
ステップＳ４０１ｂにおいて、利用者が所定の操作を行なうと、特定携帯端末装置Ａ１１０は、音声から音声データａ（このデータの識別番号を「音声番号＃ａ」とする）を生成し、音声データ記憶部２０１に記憶する。音声録音が完了すると、特定携帯端末装置Ａ１１０は、処理をステップＳ４０２ｂに移行する。【００３６】
ステップＳ４０２ｂにおいて、特定携帯端末装置Ａ１１０は、あらかじめ登録されている代表携帯端末装置１２０の電話番号＃Ｃ（以下、「代表電話番号＃Ｃ」という）を記憶装置から読み出し、この代表電話番号＃Ｃに基づいて代表携帯端末装置１２０とメッセージ通信を開始する。【００３７】
そして、特定携帯端末装置Ａ１１０は、代表携帯端末装置１２０に音声番号＃ａの音声データについての公開通知依頼を行なう。この時、特定携帯端末装置Ａ１１０は、代表携帯端末装置１２０に自身の電話番号（電話番号＃Ａ）と公開したい音声データの音声番号＃ａを通知する。【００３８】
一方、ステップＳ４０１ａにおいて、代表携帯端末装置１２０は、特定携帯端末装置Ａ１１０から公開通知依頼を受けると、登録情報記憶部３０１を参照し、登録されている全ての特定携帯端末装置（図４では、特定携帯端末装置Ａ１１０及びＢ１３０）に公開通知を行なう。この時、代表携帯端末装置１２０は、公開通知依頼を行なった特定携帯端末装置Ａ１１０の電話番号＃Ａと、公開したい音声データの音声番号＃ａと、を各特定携帯端末装置に通知する。【００３９】
ステップＳ４０２ｂにおいて、代表携帯端末装置１２０は、登録情報記憶部３０１に登録されている全ての特定携帯端末装置に公開通知を行なったか否かを判断する。そして、公開通知を行なっていない特定携帯端末装置がある場合には、処理をステップＳ４０１ａに移行する。また、公開通知を行なっていない特定携帯端末装置がない場合、代表携帯端末装置１２０は、ステップＳ４０３ａに移行して処理を終了する。【００４０】
一方、ステップＳ４０１ｃにおいて、代表携帯端末装置１２０から公開通知を受けた利用者が当該音声データを聞きたい場合、利用者は所定の操作によって、特定携帯端末装置Ｂ１３０に公開要求の指示を行なう。すると、特定携帯端末装置Ｂ１３０は、当該指示に応じて、通知された電話番号＃Ａに基づいて携帯端末装置Ａとメッセージ通信を開始する。そして、音声番号＃ａの音声データの公開要求を行なう。【００４１】
ステップＳ４０３ｂにおいて、特定携帯端末装置Ｂ１３０から公開要求を受けると、特定携帯端末装置Ａ１１０は、特定携帯端末装置Ｂ１３０とのメッセージ通知を終了し、特定携帯端末装置Ｂ１３０との音声通話接続を行なう。そして、要求のあった音声番号＃ａの音声データを音声データ記憶部２０１から読み出して再生し、特定携帯端末装置Ｂ１３０に通知する。【００４２】
音声データの再生が終了すると、特定携帯端末装置Ａ１１０、特定携帯端末装置Ｂ１３０は音声通話接続を終了して、それぞれステップＳ４０４ｂ、Ｓ４０２ｃに移行し、処理を終了する。【００４３】
図５は、本発明の実施例に係る登録情報記憶部３０１への登録処理を示すフローチャートである。特定携帯端末装置Ａ１１０を登録情報記憶部３０１に登録する場合について説明する。【００４４】
ステップＳ５０１ｂにおいて、利用者が特定の処理を行なうことにより登録情報記憶部３０１への登録を指示すると、特定携帯端末装置Ａ１１０は、あらかじめ登録されている代表電話番号を記憶装置から取得して、代表携帯端末装置１２０とメッセージ通信を行なう。そして、登録依頼を代表携帯端末装置１２０に通知する。この時、自身の電話番号＃Ａも代表携帯端末装置１２０に通知する。【００４５】
ステップＳ５０１ａにおいて、特定携帯端末装置Ａ１１０から登録依頼を受けると、代表携帯端末装置１２０は、登録の可否を判断する。この時、例えば、画面表示部３０９に当該登録依頼があった旨、及びその可否を利用者に促す旨の表示を行ない、利用者が行なう可否の指示に応じて登録の可否を処理してもよいし、あらかじめ登録を許可する携帯端末装置の一覧を記憶装置に保持しておいて、その一覧と比較して登録の可否を決定してもよい。【００４６】
ステップＳ５０１ａにおいて、登録を承認しない場合、代表携帯端末装置１２０は、ステップＳ５０５ａに移行して処理を終了する。また、登録を承認する場合、代表携帯端末装置１２０は、ステップＳ５０２ａに移行する。そして、特定携帯端末装置Ａ１１０の電話番号＃Ａを登録情報記憶部３０１に登録する。【００４７】
ステップＳ５０３ａにおいて、登録が完了すると、代表携帯端末装置１２０は、登録情報記憶部３０１を参照し、特定携帯端末装置Ａ１１０が新たに登録情報記憶部３０１に登録された旨の通知（以下、「登録通知」という）を、登録情報記憶部３０１に登録されている全携帯端末装置に対して行なう。この時、図５に示すように、新たに登録した特定携帯端末装置Ａ１１０の電話番号＃Ａを通知してもよい。【００４８】
ステップＳ５０４ａにおいて、代表携帯端末装置１２０は、登録情報記憶部３０１に登録されている全ての携帯端末装置に対して登録通知を行なったか否かを判断する。そして、まだ登録通知を行なっていない携帯端末装置がある場合には、ステップＳ５０３ａに移行し、全ての携帯端末装置に登録通知を行なった場合には、ステップＳ５０５ａに移行して処理を終了する。【００４９】
図６は、本発明の実施例に係る音声データの削除処理を示すフローチャートである。
ステップＳ６０１ｂにおいて、利用者が所定の操作を行なって音声データの削除を指示すると、特定携帯端末装置Ａ１１０は、当該指示に応じて、特定携帯端末装置Ａ１１０が備える音声データ記憶部２０１を参照し、音声データ記憶部２０１に記憶されている音声データの音声番号を取得する。そして、画面表示部２０９に音声番号を表示して、利用者に削除すべき音声データの選択を促す。【００５０】
図６に示す表示画面６００は、音声データ記憶部２０１に音声データａ（音声番号＃ａ）、音声データｂ（音声番号＃ｂ）及び音声データｃ（音声番号＃ｃ）が記憶されている場合の画面表示部３０９への表示例を示している。【００５１】
ステップＳ６０２ｂにおいて、利用者が削除する音声データを選択すると、特定携帯端末装置Ａ１１０は、キー操作部２０８を介して音声番号を取得する。なお、図６の例では、音声データａ（音声番号＃ａ）を利用者が選択した場合について説明する。【００５２】
音声番号を取得すると特定携帯端末装置Ａ１１０は、当該音声番号＃ａの音声データを音声データ記憶部２０１から削除する。
ステップＳ６０３ｂにおいて、特定携帯端末装置Ａ１１０は、代表携帯端末装置１２０に対して、既に公開通知を行なった音声データａを削除した旨の通知（以下、「削除通知」という）を行なうように依頼する。以下、この依頼を「削除通知依頼」という。この時、特定携帯端末装置Ａ１１０は、代表携帯端末装置１２０とメッセージ通信を行なう。そして、特定携帯端末装置Ａ１１０は、削除通知依頼とともに、自身を特定する情報として電話番号＃Ａと削除した音声データの音声番号＃ａを代表携帯端末装置１２０に通知する。そして、処理を終了する（ステップＳ６０４ｂ）。【００５３】
一方、ステップＳ６０１ａにおいて、代表携帯端末装置１２０は、特定携帯端末装置Ａ１１０から削除通知依頼を受けると、登録情報記憶部３０１を参照する。そして、登録情報記憶部３０１に登録されている特定携帯端末装置（図６の例では、特定携帯端末装置Ａ１１０及びＢ１３０）に対して削除通知を行なう。この時、代表携帯端末装置１２０は、各特定携帯端末装置とメッセージ通信を行なう。そして、代表携帯端末装置１２０は、削除通知をともに、削除通知依頼をした特定携帯端末装置の電話番号＃Ａと削除した音声データの音声番号＃ａを各特定携帯端末装置に通知する。そして、処理を終了する（ステップＳ６０２ａ）。【００５４】
以上に説明したように、本実施例に係る情報交換システム１００では、特定携帯端末装置Ａ１１０が保持する情報（公開情報）を公開する場合、特定携帯端末装置Ａ１１０から代表携帯端末装置１２０に公開通知依頼が行なわれ、公開通知依頼に応じて、代表携帯端末装置１２０から各特定携帯端末装置に公開通知が行なわれる。公開通知を受けた特定携帯端末装置Ｂ１３０が特定携帯端末装置Ａ１１０に公開要求を行なうと、特定携帯端末装置Ａ１１０−特定携帯端末装置Ｂ１３０で情報の交換が行なわれる。【００５５】
したがって、特定の携帯端末装置間において、任意の携帯端末装置が保持する音声データ、音楽データ、画像データ、動画データ、メールなどの情報を情報交換することが可能となる効果を奏する。【００５６】
また、本実施例に係る情報交換システム１００では、各携帯端末装置が保持する音声データ等の情報を特定の携帯端末装置間で公開して共有するので、共有される情報は各携帯端末装置に分散して保持（記憶）される。その結果、１つの携帯端末装置に備える記憶装置の記憶容量を大きくすることなく、特定の携帯端末装置全体で大容量の情報を保持することが可能となる。【００５７】
また、本実施例に係る情報交換システム１００では、公開した音声データは特定携帯端末装置Ａ１１０に備わる記憶装置に記憶されているので、当該特定携帯端末装置Ａ１１０を操作することにより簡単に削除することができる。【００５８】
また、従来のように音声データを一定期間録音しておく音声データ蓄積交換機による会話録音サービス等を利用する必要がないので、蓄積交換機に接続する必要がなくなる。その結果、通信料金や通信時間といった通信に係るコストをなくすことが可能となる。
【図１】
2009013784.tif 000003
【図２】
2009013784.tif 000004
【図３】
2009013784.tif 000005
【図４】
2009013784.tif 000006
【図５】
2009013784.tif 000007
【図６】
2009013784.tif 000008
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
特定の携帯端末装置間で情報の交換を行なう情報交換システムであって、
任意の情報を記憶する情報記憶手段と、該情報記憶手段に記憶した特定の情報について、前記特定の携帯端末装置間に公開をする旨の公開通知の依頼をする公開通知依頼手段と、該特定の情報の公開要求を受けると、要求のあった携帯端末装置に対して前記特定の情報を送信する情報通知手段と、を有する第１の携帯端末装置と、
前記特定の携帯端末装置を登録する登録情報記憶手段と、前記公開通知の依頼を受けると、前記登録情報記憶手段に登録されている携帯端末装置に対して公開通知を行なう公開通知手段と、を有する第２の携帯端末装置と、
前記公開通知を受けると、前記第１の携帯端末装置に対して、前記特定の情報の公開要求をし、該第１の携帯端末装置から前記特定の情報を取得する情報取得手段を有する第３の携帯端末装置と、
を備える情報交換システム。
【請求項２】
前記情報は、音声情報であることを特徴とする請求項１に記載の情報交換システム。
【請求項３】
前記情報は、画像情報、動画情報又は音楽情報であることを特徴とする請求項１に記載の情報交換システム。
【請求項４】
特定の携帯端末装置間で情報の交換を行なう情報交換方法であって、
任意の情報を記憶する情報記憶手段を有する第１の携帯端末装置が、該情報記憶手段に記憶した特定の情報について、前記特定の携帯端末装置間に公開をする旨の公開通知の依頼をし、
前記特定の携帯端末装置を登録する登録情報記憶手段を有する第２の携帯端末装置が、前記公開通知の依頼を受けると、前記登録情報記憶手段に登録されている携帯端末装置に対して公開通知をし、
該公開通知を受けた第３の携帯端末装置が、前記第１の携帯端末装置に対して、前記特定の情報の公開要求をすると、該第１の携帯端末装置が、前記第３の携帯端末装置に対して要求された前記特定の情報を送信する、
ことを特徴とする情報交換方法。
【請求項５】
特定の携帯端末装置間で情報の交換を行なう携帯端末装置であって、
任意の情報を記憶する情報記憶手段と、
該情報記憶手段に記憶した特定の情報について、前記特定の携帯端末装置間に公開をする旨の公開通知の依頼をする公開通知依頼手段と、
前記特定の携帯端末装置を登録する登録情報記憶手段と、
前記公開通知の依頼を受けると、前記登録情報記憶手段に登録されている携帯端末装置に対して公開通知を行なう公開通知手段と、
前記公開通知を受けると、前記第１の携帯端末装置に対して、前記特定の情報の公開要求をして前記特定の情報を取得する情報取得手段と、
該特定の情報の公開要求を受けると、要求のあった携帯端末装置に対して前記特定の情報を送信する情報通知手段と、
を備える携帯端末装置。
【国際調査報告】
2009013784.tif 000009
2009013784.tif 000010
2009013784.tif 000011